(57)【特許請求の範囲】
【請求項１】
インクを含浸するインクパッドおよび該インクパッドに含浸させるためのインクが入っているインク容器を収容するインク容器収容部を有する本体と、前記インクパッドを被い本体と着脱自在に設けた上キャップと、該インク容器収容部に収納したインク容器と、該インク容器を収納したインク容器収容部の外側を被い本体と着脱自在に設けた下キャップとを具備し、かつ該上キャップと下キャップの少なくとも一方にインクパッドにインクを含浸させるためにインク容器から取り出したインクを入れるインク溜め部を有することを特徴とするインク付きスタンプパッド。
【請求項２】
前記インク溜め部が上キャップと下キャップの少なくとも一方の外側に設けられた凹部からなる請求項１記載のインク付きスタンプパッド。
【請求項３】
前記インク容器がインクの取り出し口を下にして下キャップと着脱自在に結合して設けられている請求項１または２記載のインク付きスタンプパッド。
【請求項４】
インクを含浸するインクパッドおよび該インクパッドに含浸させるためのインクが入っているインク容器を収容するインク容器収容部を有する本体と、前記インクパッドを被い本体と着脱自在に設けた上キャップと、該インク容器収容部に収納したインク容器と、該インク容器を収納したインク容器収容部の外側を被い本体と着脱自在に設けた下キャップとを具備し、かつ前記上キャップと下キャップの少なくとも一方が、インクをインクパッドに含浸させるためにインク容器から取り出したインクを入れるインク溜め部を有するキャップカバーで被われていることを特徴とするインク付きスタンプパッド。
【請求項５】
請求項１乃至４のいずれかの項に記載のインク付きスタンプパッドと、文字、図形または模様を打ち抜いたステンシル型からなることを特徴とするステンシルセット。
【発明の詳細な説明】
【０００１】
【発明の属する技術分野】
本発明は、インク付きスタンプパッドおよびそれを用いたステンシルセットに関するものである。
【０００２】
【従来の技術】
従来、スタンプパッド（スタンプ台）はゴム印を押印するために広範囲に使用されている。スタンプパッドはフエルトやスポンジなどからなるインキ収蔵体を基台に設け、該インキ収蔵体にインキを吸収させたものであり、各種の大きさや形状のものが知られている。
このスタンプパッドは、ゴム印を用いて紙または布等に押印できるために広範囲の用途に用いられている。
【０００３】
また、ステンシルは、文字、図形または模様などを打ち抜いたステンシル型を、ステンシルしようとする紙の上に固定し、絵の具、水性ペイントまたはスタンプパッド（スタンプ台）のインクをステンシル用刷毛につけ、ステンシル型の上からステンシル用刷毛で軽くたたくようにしてインクを刷り込んで着色した後、ステンシル型紙をはずすして、文字、図形または模様を複製することにより行なわれている。
【０００４】
一方、最近、人体の皮膚に装飾するボディーペイントが流行している。このボディーペイントのインキは顔料インキが使用され、この顔料インキはマーカー類として皮膚に塗布したり、又はインキを塗料として刷毛などで皮膚に塗布している。
また、色材として染料を使用したボディー用染料インキが用いられている。
【０００５】
【発明が解決しようとする課題】
本発明は、上記の様な従来の技術において、スタンプパッドを用いて、ボディーペイント等をステンシルにより行うことに着目し研究を行った結果完成したものである。
【０００６】
本発明は、インクを含浸するインクパッドと、インクを収容したインク容器をスタンプパッドの本体に収納して、使用する都度にインクを取り出してボディーペイント等をステンシルにより鮮明に容易に行うことができるインク付きスタンプパッドおよびそれを用いたステンシルセットを提供することを目的とするものである。
【０００７】
【課題を解決するための手段】
即ち、本発明は、インクを含浸するインクパッドおよび該インクパッドに含浸させるためのインクが入っているインク容器を収容するインク容器収容部を有する本体と、前記インクパッドを被い本体と着脱自在に設けた上キャップと、該インク容器収容部に収納したインク容器と、該インク容器を収納したインク容器収容部の外側を被い本体と着脱自在に設けた下キャップとを具備し、かつ該上キャップと下キャップの少なくとも一方にインクパッドにインクを含浸させるためにインク容器から取り出したインクを入れるインク溜め部を有することを特徴とするインク付きスタンプパッドである。
【０００８】
前記インク溜め部が上キャップと下キャップの少なくとも一方の外側に設けられた凹部からなるのが好ましい。
前記インク容器がインクの取り出し口を下にして下キャップと着脱自在に結合して設けられているのが好ましい。
【０００９】
また、本発明は、インクを含浸するインクパッドおよび該インクパッドに含浸させるためのインクが入っているインク容器を収容するインク容器収容部を有する本体と、前記インクパッドを被い本体と着脱自在に設けた上キャップと、該インク容器収容部に収納したインク容器と、該インク容器を収納したインク容器収容部の外側を被い本体と着脱自在に設けた下キャップとを具備し、かつ前記上キャップと下キャップの少なくとも一方が、インクをインクパッドに含浸させるためにインク容器から取り出したインクを入れるインク溜め部を有するキャップカバーで被われていることを特徴とするインク付きスタンプパッドである。
【００１０】
また、本発明は、上記のインク付きスタンプパッドと、文字、図形または模様を打ち抜いたステンシル型からなることを特徴とするステンシルセットである。
【００１３】
【発明の実施の形態】
本発明のインク付きスタンプパッドは、インクを含浸するインクパッドとインクが入っているインク容器を収容するインク容器収容部を有する本体と、該インクパッドを被い本体と着脱自在に設けた上キャップと、該インク容器収容部に収納したインク容器と、該インク容器を収納したインク容器収容部の外側を被い本体と着脱自在に設けた下キャップを具備すると共に、該上キャップと下キャップの少なくとも一方にインクパッドにインクを含浸させるためにインク容器から取り出したインクを入れるインク溜め部を有することを特徴とする。
【００１４】
上記の様に、本発明のインク付きスタンプパッドは、インクパッドとインクが入っているインク容器を内蔵する本体、上キャップおよび下キャップからなり、該インク容器から使用するインクをキャップに設けたインク溜め部に取り出して、該インクをインクパッドに含浸させて被着色物上に軽くたたいて着色することができる。着色が終了した後は、インク溜め部に残ったインクをふき取るか、または洗浄することにより、次回の使用に供することができる。また、インクパッドに付着したインクは、使用するインクの種類により異なり、付着したままでもよく、またはふき取るか、洗浄することができる。
【００１５】
本発明のインク付きスタンプパッドにおいて、上キャップはインクを含浸させるインクパッドを被うために設けられ、下キャップは本体に収納されているインク容器を保持するために設けられ、その取り付け方法は、上下キャップと本体は独立しており、本体に装着した後、離脱時に本体と上下キャップが分離する様に取り付けられる。
【００１６】
本発明のインク付きスタンプパッドにおいて、インクを充填したインク容器は本体のインク容器収容部に収納されるが、該インク容器と、本体のインク容器収容部の外側を被う下キャップとは、それぞれ独立した別々のものでもよく、あるいはインク容器のフタと下キャップが差し込みによって着脱自在に嵌合しているものが好ましい。
【００１７】
また、インクパッドにインクを含浸させるためにインク容器から取り出したインクを入れるインク溜め部は、上キャップと下キャップの少なくとも一方の外側に凹部を形成して設けるか、または上キャップまたは下キャップに、凹部を形成したキャップカバーを設けることにより形成される。
【００１８】
上記の様に、本発明のインク付きスタンプパッドは、本体にインクを入れたインク容器を内蔵しているために、使用時にインクを容易に取り出すことができ、インクが無くなった時にはインク容器にインクを補充することができ、また別の色のインクが入ったインク容器に交換することができる。
【００１９】
上記のインク付きスタンプパッドは、文字、図形または模様を打ち抜いたステンシル型と組み合わせてステンシルセットとして使用することができる。
【００２０】
ステンシルに使用する方法は、インク付きスタンプパッドの本体から上キャップ、下キャップおよびインク容器を脱離する。インク溜め部を有するキャップカバーがある場合には、キャップカバーをキャップから取り外す。そして、上キャップまたは下キャップに設けられたインク溜め部またはキャップカバーのインク溜め部に、インク容器から使用する量のインクを入れる。次に、インク溜め部のインクをインクパッドに含浸させ、ステンシル型の上から被着色物にインクを付けることにより行なうことができる。
【００２１】
本発明のステンシルセットにより、着色した各種の文字、図形または模様を容易に形成することができる。
被着色物として紙、布、木、合成樹脂、皮膚等に適用することができるが、人体の皮膚に装飾するボディーペイントに好適である。
【００２２】
【実施例】
以下に実施例を挙げて図面に基づいて本発明を具体的に説明する。
【００２３】
実施例１
図１は、本発明のインク付きスタンプパッドの一例を示す概略図であり、図１（ａ）は正面図、図１（ｂ）は平面図、図１（ｃ）は底面図である。図２は図１のＡＡ線断面図である。
【００２４】
同図に示す様に、本発明のインク付きスタンプパッド１は、本体２、上キャップ３、下キャップ４、インク容器５とインク溜め部６ａを具備する。本体２はインクを含浸させるインクパッド７と、インクが入ったインク容器５を収容するインク容器収容部８を有する。上キャップ３はインクパッド７を被い本体２と嵌合し着脱自在に設けられている。インク容器５はインク収容部１４にインクを入れ、インクの取り出し口をフタ９で封止してなるものである。
【００２５】
また、インク容器収容部８にはインク容器５が収納され、該インク容器５を収納したインク容器収容部８の外側を被って下キャップ４が本体１と着脱自在に設けられている。
【００２６】
下キャップ４の外側には、半円形の凹部１１からなるインク溜め部６ａが設けられ、また内側にはインク容器５のフタ９を嵌合して固定する溝部１０が設けられている。
【００２７】
インク付きスタンプパッド１の大きさは、特に制限はないが、図１，２では、例えば高さ８１ｍｍ、直径１８ｍｍの円柱形のものを示す。
【００２８】
インク容器５はフタ９を下方にして下キャップ４に固定して設けているので、比較的細長い形状をしているインク容器の下方のインクの濃度が濃くなり、使用する際に鮮明な着色をすることができ、また下キャップに固定されているために動揺することがない。
【００２９】
また、本体とキャップの材質は特に制限はなく、プラスチックが好ましく、着色していても、透明でもよい。
【００３０】
上記の様に、本実施例のインク付きスタンプパッド１は、本体２にインクを入れたインク容器５を内蔵し、使用する時には本体２から上キャップ３、下キャップ４を取り外し、本体１からインク容器５を取り出して、下キャップ４を逆向にしてインク溜め部６ａを上に向けて置き、インク溜め部６ａにインクを入れ、該インクを本体２のインクパッド７に含浸させて被着色物上に軽くたたいて着色する。着色の後は、インク溜め部６ａに残ったインクをふき取るか、または洗浄することにより、清浄にする。
【００３１】
図３は本発明のインク付きスタンプパッドの上キャップの他の例を示す断面図である。同図３は、上キャップ３の外側に、半円形の凹部１１からなるインク溜め部６ｂを設けた例を示す。図３の上キャップ３は、図１のインク付きスタンプパッドの上キャップとして前記と同様に用いることができる。
【００３２】
実施例２
図４は本発明のインク付きスタンプパッドの他の例を示す概略図である。図５はキャップカバーを示す説明図であり、図５（ａ）は平面図、図５（ｂ）はＢＢ線断面図、図５（ｃ）はインクを入れた状態の断面図を示す。
【００３３】
同図４に示すインク付きスタンプパッドは、下キャップ４ａの外側にインク溜め部６ｃを有するキャップカバー１２が設けられている例を示す。
【００３４】
下キャップ４ａの外周には係止用突起１３が設けられ、該係止用突起１３とインク溜め部６ｃを有するキャップカバー１２の内面が嵌合して着脱自在に設けられている。
【００３５】
本実施例のインク付きスタンプパッドでは、図５（ｃ）に示す様に、キャップカバー１２を下キャップ４から取り外し、インク溜め部６ｃを上に向けて置いて、インク溜め部６ｃにインク１５を入れ、該インク１５を本体２のインクパッド７に含浸させて被着色物上に軽くたたいて着色することができる。
【００３６】
実施例３
図６は本発明のインク付きスタンプパッドに用いるステンシル型の一例を示す概略図である。図６（ａ）は平面図、図６（ｂ）はＣＣ線断面図を示す。
【００３７】
図６に示すステンシル型２０は、粘着フィルムまたはシート（ステンシルシート）２１からなる。粘着フィルムまたはシート２１は、フィルムまたはシート２２、例えばポリ塩化ビニル、ポリエステル等のフィルムまたはシートの一方の面に、通常の粘着シールと同様の方法で粘着剤２３を塗布し、該粘着剤の面を剥離可能なセパレータ（剥離紙）２４と貼り合わせたものを用いる。上記のフィルムまたはシート２２と粘着剤２３には図形２６の形状にハーフカットして切断線２５が入れててある。
【００３８】
ステンシル型２０の粘着フィルムまたはシート２１の図形２６の形状を除いた部分のフィルムまたはシート２２と粘着剤２３の層をセパレータ（剥離紙）２４から剥し、被着色物の表面に粘着剤２３を介して貼り付けて接着する。例えば、粘着剤にはアクリル系粘着剤が、フィルムまたはシートにはポリプロピレン系合成紙が用いられる。
【００３９】
本発明のインク付きスタンプパッドとステンシル型を用いて皮膚にステンシルする方法は、まず皮膚を洗浄し、ステンシルシートの使用する部分を剥離紙からゆっくり剥がして皮膚に貼り付ける。実施例１と同様の方法でインク付きスタンプパッドのインクパッドにインク溜め部のインキを含浸させ、図柄の上から軽く叩くようにしてインキを付けた後、シートをゆっくり剥がす。インクは５〜１０分で乾燥することにより皮膚を着色することができる。
【００４０】
【発明の効果】
以上説明した様に、本発明によれば、スタンプパッドの本体にインクを入れたインク容器を収納して、使用する都度にインクを取り出してボディーペイント等をステンシルにより鮮明に容易に行うことができる。
また、本発明は、本体からインクを入れたインク容器を取り出し易く収納してあり、インクパッドを用いてインク溜め部のインクで容易に着色でき、また別の色のインク容器と交換して使用することができる。
【図面の簡単な説明】
【図１】本発明のインク付きスタンプパッドの一例を示す概略図である。
【図２】図１のＡＡ線断面図である。
【図３】本発明のインク付きスタンプパッドの上キャップの他の例を示す断面図である。
【図４】本発明のインク付きスタンプパッドの他の例を示す概略図である。
【図５】本発明のインク付きスタンプパッドのキャップカバーを示す説明図である。
【図６】本発明のインク付きスタンプパッドに用いるステンシル型の一例を示す概略図である。
【符号の説明】
１  インク付きスタンプパッド
２  本体
３  上キャップ
４，４ａ  下キャップ
５  インク容器
６ａ，６ｂ，６ｃ  インク溜め部
７  インクパッド
８  インク容器収容部
９  フタ
１０  溝部
１１  凹部
１２  キャップカバー
１３  係止用突起
１４  インク収容部
１５  インク
２０  ステンシル型
２１  粘着フィルムまたはシート
２２  フィルムまたはシート
２３  粘着剤
２４  セパレータ（剥離紙）
２５  切断線
２６  図形
【図１】
0003549154.tif 000002
【図２】
0003549154.tif 000003
【図３】
0003549154.tif 000004
【図４】
0003549154.tif 000005
【図５】
0003549154.tif 000006
【図６】
0003549154.tif 000007